(57)【要約】【課題】レジスタから吹き出す気流の方向を偏向させる可動フィンがレジスタの前面にないようにすること。【解決手段】レジスタ内に送り込まれた気流を空気吹出口２１から吹き出すレジスタにおいて、空気吹出口２１がレジスタ前面の開口部群により形成され、空気吹出口２１から吹き出す気流の方向を偏向させるバレル５０がバレルホルダ４０に対して横軸４１の周りに回動可能に配設され、バレルホルダ４０がレジスタ内にて縦軸の周りに回動可能に配設され、バレルホルダ４０を回動させることにより、バレル５０を通過して空気吹出口２１から吹き出す気流の方向を上下方向に偏向することができるとともに、バレル５０のみを回動させることにより、バレル５０を通過して空気吹出口２１から吹き出す気流の方向を横方向に偏向させることができること。【選択図】        図３
2004268711.tif 000002
【特許請求の範囲】
【請求項１】
レジスタ内に送り込まれた気流を空気吹出口から吹き出すレジスタにおいて、
前記空気吹出口がレジスタの前面の開口部群により形成され、
前記レジスタ内にて前記空気吹出口から吹き出す気流の方向を偏向させる枠状体および保持部材が配置され、
前記枠状体が前記保持部材に対して回動可能に支えられ、
前記保持部材が前記枠状体の回動軸と異なる方向の回動軸の周りに回動可能に前記レジスタ内に配設され、
前記保持部材の回動により、前記保持部材に支えられた前記枠状体を通過して前記空気吹出口から吹き出す気流の方向を偏向するとともに、前記枠状体のみの回動により、前記枠状体を通過して前記空気吹出口から吹き出す気流の方向を前記保持部材の回動による前記気流の偏向方向と異なる方向に偏向するように構成されていることを特徴とするレジスタ。
【請求項２】
請求項１に記載したレジスタにおいて、
前記枠状体が第１部材および第２部材を組み合わせた枠状に形成され、連結部材が設けられ、この連結部材の移動に連動して前記第１部材および第２部材が回動し、
前記第１部材および第２部材の回動により、前記枠状体を通過する気流の方向を偏向させるように構成したことを特徴とするレジスタ。
【請求項３】
請求項２に記載したレジスタであって、
レジスタの前面に操作ノブが回動可能でかつその回動軸方向に移動可能に配設され、
この操作ノブの移動により回動する回動手段が配設され、この回動手段の回動により回動するアームが配設され、このアームに形成されたスリットに前記連結部材が係合し、前記アームの回動により前記連結部材が移動し、
前記操作ノブの回動に連動して前記保持部材が回動することを特徴とするレジスタ。
【発明の詳細な説明】
【０００１】
【発明の属する技術分野】
本発明は、気流を空気吹出口から吹き出すレジスタに関し、特に、レジスタの前面に可動フィンがないレジスタに関するものである。
【０００２】
【従来の技術】
従来、自動車の車室内のインストルメントパネル等には、レジスタが設けられている。このレジスタは空調装置の温冷風等の気流の吹き出し方向を調節するものである。図８は、このレジスタの従来例を示す。（例えば特許文献１）
図８に示すレジスタ７０では、その前面にベゼル７１が配設され、ベゼル７１の後にダクト状のリテーナ７２が取り付けられている。ベゼル７１の前面には空気吹出口７１ａが形成され、空気吹出口７１ａには複数の連動するフィンからなる水平フィン群７３が配設されている。さらに、リテーナ７２内にて水平フィン群７３より風上側には複数の連動するフィンからなる垂直フィン群７４が配設されている。
【０００３】
空気吹出し口７１ａには、水平フィン群７３の一つのフィンを摺動自在に挟むようにフィン操作ノブ７５が配設され、このフィン操作ノブ７５のスリット７５ａが垂直フィン群７４のフィンに取り付けられた縦方向のロッド７４ａに摺動自在に連結されている。このため、フィン操作ノブ７５の傾斜度を操作することにより水平フィン群７３の偏向方向を変えることができ、さらに、フィン操作ノブ７５を水平フィン群７３の前記一つのフィンに沿って摺動させることにより、垂直フィン群７４の偏向方向を変えることができる。そして、水平フィン群７３の偏向方向を変えることにより、レジスタ７０から吹き出す気流の方向を上下に変えることができ、垂直フィン群７４の偏向方向を変えることにより、レジスタ７０から吹き出す気流の方向を左右に変えることができる。
【０００４】
【特許文献１】
特開平９−１０１０５８号公報
【０００５】
【発明が解決しようとする課題】
しかし、上記従来例では、水平フィン群７３および垂直フィン群７４を別個に形成して、レジスタ７０内に配設しているので、気流の方向を偏向させるため水平フィン群７３および垂直フィン群７４のうちどちか一方を空気吹出口７１ａに配設し、他方をレジスタ７０内の空気吹出口７１ａに近い位置に配置する必要があった。このため、空気吹出口７１ａからその内部にある水平フィン群７３および垂直フィン群７４が見える。このため、水平フィン群７３および垂直フィン群７４を動作させると、レジスタ７０の前面の外観が変わるので、その見栄えが悪いとともに、レジスタ７０の前面の意匠が制限され、その自由度がなかった。このため、レジスタ７０の前面に、例えば三次元曲線カーブ等の意匠デザインを施すことができないという問題があった。
そこで、本発明が解決しようとする課題は、レジスタから吹出す気流の方向を偏向させる可動フィンがレジスタの前面にないようにすることである。
【０００６】
【課題を解決するための手段】
上記課題を解決するため、請求項１記載の発明は、レジスタ内に送り込まれた気流を空気吹出口から吹き出すレジスタにおいて、前記空気吹出口がレジスタの前面の開口部群により形成され、前記レジスタ内にて前記空気吹出口から吹き出す気流の方向を偏向させる枠状体および保持部材が配置され、前記枠状体が前記保持部材に対して回動可能に支えられ、前記保持部材が前記枠状体の回動軸と異なる方向の回動軸の周りに回動可能に前記レジスタ内に配設され、前記保持部材の回動により、前記保持部材に支えられた前記枠状体を通過して前記空気吹出口から吹き出す気流の方向を偏向するとともに、前記枠状体のみの回動により、前記枠状体を通過して前記空気吹出口から吹き出す気流の方向を前記保持部材の回動による前記気流の偏向方向と異なる方向に偏向するように構成されていることを特徴とするレジスタである。
これにより、レジスタ内に配設された枠状体およびその保持部材を回動させることにより、レジスタ前面の開口部群により形成された空気吹出口から吹き出る気流の方向を２の異なる方向（例えば縦方向と横方向）に偏向させることができる。
【０００７】
さらに、請求項２記載の発明は、請求項１に記載した発明において、前記枠状体が第１部材および第２部材を組み合わせた枠状に形成され、連結部材が設けられ、この連結部材の移動に連動して前記第１部材および第２部材が回動し、前記第１部材および第２部材の回動により、前記枠状体を通過する気流の方向を偏向させるように構成したことである。
これにより、連結部材を移動させると、この連結部材の移動に連動して枠状体の第１部材および第２部材が回動し、枠状体を通過する気流の向きが前記回動方向に偏向される。
【０００８】
さらに、請求項３記載の発明は、請求項２に記載した発明において、レジスタの前面に操作ノブが回動可能でかつその回動軸方向に移動可能に配設され、この操作ノブの移動により回動する回動手段が配設され、この回動手段の回動により回動するアームが配設され、このアームに形成されたスリットに前記連結部材が係合し、前記アームの回動により前記連結部材が移動し、前記操作ノブの回動に連動して前記保持部材が回動することである。
これにより、操作ノブを移動または回動させることにより、前記保持部材および前記枠状体を回動させて前記枠状体を通過する気流の方向を偏向することができる。
【０００９】
【発明の実施の形態】
以下、本発明における実施の形態を図面に基づいて説明する。図１は本発明の実施の形態に係るレジスタを示し、図２は図１のレジスタの内部を示し、図３は図１のレジスタを分解して示し、図４は、図３のバレル、バレルホルダ等を拡大して示し、図５は図１のレジスタのベゼルおよびリテーナを示す。さらに、図６は図１のレジスタの縦断面を示し、図７は図１のレジスタの横断面を示す。
【００１０】
図１に示すように、レジスタ１０は、レジスタ１０の前面（図示手前の面）を構成するベゼル２０とベゼル２０の後側にその吹き出し側端部３１（図５参照）が取り付けられたダクト状のリテーナ３０を主体として構成されている。そして、リテーナ３０の流入側端部（図示右端部）３２が図示しない空調装置の温冷風等の気流が流れるダクトに接続可能である。また、図６および図７に示すように、リテーナ３０の縦横に偏向された気流の吹出し側端部３１はその縦横の幅が広くなっている。
図３に示すように、リテーナ３０の吹出し側端部３１の切欠部３１ａには軸受３３、３３（図７参照）が形成され、さらに、吹出し側端部３１の下部には一対の補助板３４ａ、３４ｂがベゼル２０の下側に延びるように溶接等により取り付けられ、この補助板３４ａ、３４ｂの先端部には軸受３５、３５（図２参照）が形成されている。
【００１１】
ベゼル２０の前面には、多数の横長孔状の開口部を縦横に並べて構成した空気吹出口２１が形成されている。
さらに、ベゼル２０の前面にて空気吹出口２１の下側にノブ用開口部２２が形成されている。ノブ用開口部２２に、調節手段６０の特許請求の範囲における「操作ノブ」に相当するダイヤルノブ６１が配設されている。
図３に示すように、ダイヤルノブ６１がノブホルダ６５の開口部６５ａに配置され、ダイヤルノブ６１の四角孔６１ａに四角筒状のシム６２を介して四角柱状の横軸となるシャフト６３が摺動自在に嵌合している。さらに、シャフト６３（図２参照）が開口部６５ａの縁を形成する折曲部６５ｂ、６５ｃの円形孔を貫通している。そして、図２に示すように、シャフト６３の両端の軸部６３ａはリテーナ３０の軸受３５に回動自在に支えられている。シャフト６３の図示右端の軸部６３ａにアーム部６３ｂが付設され、アーム部６３ｂの先端部にピン６３ｃが付設されている。このピン６３ｃがリンク６４の下端部の孔６４ａに回動自在に連結されている。
【００１２】
一方、図３および図６に示すように、ノブホルダ６５の後端部にラック６６が設けられ、ラック６６に螺合する円盤状のギヤ６７が配設され、さらに、ギヤ６７に螺合するギヤ６８が配設されている。このギヤ６８はリテーナ３０に回動自在に取り付けられた縦軸６９の下端部に固定されている。
【００１３】
図６および図７に示すように、ベゼル２０の空気吹出口２１（図５参照）の近くのリテーナ３０のダクト状部分内に、特許請求の範囲における「保持部材」に相当する枠状のバレルホルダ４０が配設されている。バレルホルダ４０では、図４に示すように、その上辺部を貫通する貫通孔４４ａ、４５ａが形成され、下辺部を貫通する貫通孔４４ｂ、４５ｂがそれぞれ貫通孔４４ａ、４５ａに対応する部位に形成されている。そして、バレルホルダ４０の左右辺部の中心部に横軸４１（図７参照）が設けられ、この横軸４１は軸受３３に回動自在に支えられている。これにより、バレルホルダ４０は横軸４１を回動中心として回動可能である。
図２および図３に示すように、横軸４１の図示右端部にはアーム部４２が取り付けられ、このアーム部４２の先端部にはピン４３が横軸４１と平行に取り付けられている。そして、ピン４３がリンク６４の上端部の孔６４ｂに回動可能に連結されている。
【００１４】
図２に示すように、バレルホルダ４０の内側に、特許請求の範囲における「枠状体」に相当するバレル５０が配置されている。そして、図４に示すように、バレル５０は第１部材５１および第２部材５２を組み合わせて枠状にしたものである。第１部材５１では、その上片部に貫通孔５１ａが形成され、下片部の貫通孔５１ａと対応する位置に貫通孔５１ｂが形成されている。さらに、第２部材５２では、その上片部に貫通孔５２ａが形成され、下片部の貫通孔５２ａに対応する位置に貫通孔５２ｂが形成されている。さらに、第１部材５１では、その上片部の上面に縦軸５３ａが立設され、下片部の下面に縦軸５３ａと軸方向を同じくする縦軸５３ｂが下向きに立設されている。さらに、第２部材５２では、その上片部の上面に縦軸５４ａが立設され、下片部の下面に縦軸５４ａと軸方向を同じくする縦軸５４ｂが下向きに立設されている。
縦軸５３ａ、５３ｂは、それぞれバレルホルダ４０の貫通孔４４ａ、４４ｂに回動自在に保持されている。また、縦軸５４ａ、５４ｂは、それぞれバレルホルダ４０の貫通孔４５ａ、４５ｂに回動自在に保持されている。これにより、第１部材５１は縦軸５３ａ、５３ｂを回動軸として回動可能であり、一方、第２部材５２は縦軸５４ａ、５４ｂを回動軸として回動可能である。
【００１５】
図４に示すように、連結部材５５は、上側ロッド部５５ａ、下側ロッド部５５ｂおよび上側ロッド部５５ａと下側ロッド部５５ｂを連結する支柱部５５ｃを備えている。上側ロッド部５５ａの両端部の上面には縦軸５６ａ、５７ａが立設され、下側ロッド部５５ｂの両端部の下面には、縦軸５６ａと軸方向を同じくする縦軸５６ｂ、および縦軸５７ａと軸方向を同じくする縦軸５７ｂが下向きに立設されている。
縦軸５６ａ、５６ｂはそれぞれバレル５０の第１部材５１の貫通孔５１ａ、５１ｂに回動自在に支えられ、縦軸５７ａ、５７ｂはそれぞれバレル５０の第２部材５２の貫通孔５２ａ、５２ｂに回動自在に支えられている。このため、連結部材５５に連動して、第１部材５１および第２部材５２が回動可能であり、この回動によりバレル５０内を通過して空気吹出口２１から吹き出る気流が前記回動方向に偏向する。
【００１６】
図４に示すように、縦軸６９にはアーム６９ａが付設され、アーム６９ａにその長手方向に延びたスリット６９ｂが形成されている。このスリット６９ｂに連結部材５５の支柱部５５ｃが摺動自在に係合している。このため、縦軸６９の回動に連動して連結部材５５が移動し、この移動に連動してバレル５０の第１部材５１および第２部材５２が回動する。
【００１７】
以上の構成により、レジスタ１０は以下のように動作する。図１に示すように、ダイヤルノブ６１を矢印６１ｂの方向（下方向）に回動するように操作すると、図２に示すシャフト６３がダイヤルノブ６１の回動方向と同じ方向に回動し、リンク６４が上方に移動し、横軸４１が図６の矢印４１ａに示す方向に回動する。このため、図６の二点鎖線で示すように、バレルホルダ４０およびバレルホルダ４０に支えられたバレル５０が矢印４１ａの方向に回動する。このため、バレル５０を通過する気流の方向が下方に偏向するので、空気吹出口２１から吹き出る気流の方向が下方に偏向する。一方、ダイヤルノブ６１を矢印６１ｂの方向と反対の方向に回動させると、バレル５０を通過する気流の方向が上方に偏向するので、空気吹出口２１から吹き出る気流の方向が上方に偏向する。
【００１８】
また、図１に示すように、ダイヤルノブ６１を矢印６１ｃの方向（図示左方向）に移動させるように操作すると、ノブホルダ６５がダイヤルノブ６１と同じ方向に移動するので、ラック６６がダイヤルノブ６１と同じ方向に移動し、図３に示すように、ギヤ６７が矢印６７ａの方向に回動し、ギヤ６８が矢印６８ａの方向に回動する。このため、図４に示すように、縦軸６９が矢印６９ｃの方向に回動し、これに連動して連結部材５５が矢印５５ｘの方向に移動するので、この連結部材５５の移動に連動して、バレル５０の第１部材５１および第２部材５２が図７の二点鎖線で示すように回動する。これにより、バレル５０を通過する気流の方向が図示左方向に偏向するので、図１の空気吹出口２１から吹き出る気流が左方向に偏向する。一方、ダイヤルノブ６１を矢印６１ｃの方向と反対の方向に移動させると、バレル５０を通過する気流の方向が図示右方向に偏向するので、図１の空気吹出口２１から吹き出る気流が右方向に偏向する。
【００１９】
そして、図１の多数の横長孔状の開口部を縦横に並べて構成した空気吹出口２１の内側近くに配設されたバレルホルダ４０およびバレル５０の回動により空気吹出口２１から吹き出る気流の方向を縦横の方向に偏向させることができるため、空気吹出口２１に従来例のよう可動フィンを配置する必要がなくなる。このため、空気吹出口２１が視界を遮るので、空気吹出口２１の内部の状態が目立たないようになっている。
さらに、従来のような気流の方向を偏向するフィンの強度、形状等に配慮がいらなくなり、コスト低減ができる。
【００２０】
なお、図７に示すように、バレル５０を第１部材５１と第２部材５２とで構成し、第１部材５１と第２部材５２を連動させるようにして回動させることにより、バレル５０を一つの枠状体として形成し、これを回動させる場合よりも、バレル５０の回動時の空気吹出口２１方向の方向の長さを短くすることができるので、バレル５０をリテーナ３０内の空気吹出口２１の近くに配設することが容易になる。
【００２１】
また、上記実施の形態において、空気吹出口２１を構成する開口部群の形状は図示されたものに限定されず、気流を通過させることができ、かつベゼル２０の内部の状態を外から目立たなくできるものであれば、任意の形状にすることができる。
また、バレルホルダ４０の回動軸が横軸４１であり、バレル５０の第１部材５１および第２部材５２の回動軸が縦軸５３ａ、５３ｂ、５４ａ、５４ｂであるが、これに限定されずに、バレルホルダ４０の回動軸の軸方向とバレル５０の第１部材５１および第２部材５２の回動軸の軸方向が異なるように設定されていればよい。
また、バレル５０が第１部材５１と第２部材５２により構成されているが、これに限定されず、バレル５０を単一の枠状体として構成し、単一の軸をその回動軸としてもよい。
【００２２】
【発明の効果】
請求項１記載の発明によれば、レジスタ内に気流の方向を偏向させる枠状体およびその保持部材を配置し、レジスタの前面（意匠面）の空気吹出口に気流の方向を偏向させる可動フィンがないので、レジスタの見栄えがよくなり、そのデザインの自由度があるので、レジスタの前面がどのような形状にも対応できるようになる。
さらに、請求項２記載の発明によれば、請求項１記載の発明の効果とともに、連結部材を利用して枠状体の第１部材および第２部材を容易に回動させることができる。
さらに、請求項３記載の発明によれば、請求項２記載の発明の効果とともに、操作ノブを移動または回動させることにより、気流の方向を容易に偏向させることができる。
【図面の簡単な説明】
【図１】本発明の実施の形態に係るレジスタの斜視図である。
【図２】図１のレジスタの内部を示す斜視図である。
【図３】図１のレジスタを分解して示す斜視図である。
【図４】図３のバレル、バレルホルダ等を拡大して示す斜視図である。
【図５】図１のレジスタのベゼルおよびリテーナを後側から見た斜視図である。
【図６】図１のレジスタの縦断面である。
【図７】図１のレジスタの横断面図である。
【図８】従来例に係るレジスタの斜視図である。
【符号の説明】
１０  レジスタ
２０  ベゼル
２１  空気吹出口
３０  リテーナ
４０  バレルホルダ（保持部材）
４１  横軸（回動軸）
５０  バレル（枠状体）
５１  第１部材
５２  第２部材
５３ａ、５３ｂ、５４ａ、５４ｂ  縦軸（回動軸）
５５  連結部材
６０  調節手段
６１  ダイヤルノブ（操作ノブ）
６３  シャフト
６４  リンク
６５  ノブホルダ
６６  ラック
６７  ギヤ（回動手段）
６８  ギヤ（回動手段）
６９  縦軸（回動手段）
６９ａ  アーム
６９ｂ  スリット
【図１】
2004268711.tif 000003
【図２】
2004268711.tif 000004
【図３】
2004268711.tif 000005
【図４】
2004268711.tif 000006
【図５】
2004268711.tif 000007
【図６】
2004268711.tif 000008
【図７】
2004268711.tif 000009
【図８】
2004268711.tif 000010